(57)【要約】      （修正有）【課題】アセンブリに構造的かつ機能的支持を提供するための基体を有する均一な光源。【解決手段】基体上に提供される底部反射体。点光源を提供するための、底部反射体の開口部に提供される複数の固体光源。複数の固体光源間に提供され、点光源を均一な面の光に方向変換し広げる光方向変換領域を有する複数の光フィルム。上部キャッピング部分および底部支持部分を含む連結クリップであって、複数の光フィルムを収容するのに充分な高さを有する連結クリップ、底部支持部分は上部キャッピング部分に対して垂直に配置されている。均一な面の光を拡散させるための上部拡散体。複数の光フィルムは０．１ｍｍ〜１．０ｍｍの厚みを有する。【選択図】図１
2011082142.tif 000002
【特許請求の範囲】
【請求項１】
ＬＣＤディスプレイのための一体型バックライト照明アセンブリであって、
アセンブリに構造的および機能的支持を提供する基体；
基体上に提供される底部反射体；
点光源を提供するための、底部反射体の開口部に提供される複数の固体光源；
点光源を均一な面の光に方向変換し広げるための、複数の固体光源間に提供される光方向変換領域を有する複数の光フィルム；
上部キャッピング部分と底部支持部分とを含み、底部支持部分が上部キャッピング部分に対して垂直に配置されており、複数の光フィルムを収容するのに充分な高さを有する、連結クリップ；
均一な面の光を拡散させるための上部拡散体；を含み、
複数の光フィルムが０．１ｍｍ〜１．０ｍｍの厚みを有する、
一体型バックライト照明アセンブリ。
【請求項２】
連結クリップがポリカーボナート、ポリメチルメタクリラート（ＰＭＭＡ）、ポリスチレン、ウレタン、ポリプロピレン、ポリスルホンおよびナイロンから選択される物質を含む、請求項１に記載のバックライト照明アセンブリ。
【請求項３】
上部キャッピング部分が０．５〜４ｍｍの厚みを有する、請求項１に記載のバックライト照明アセンブリ。
【請求項４】
底部支持部分が１〜８ｍｍの高さを有する、請求項１に記載のバックライト照明アセンブリ。
【請求項５】
複数の光フィルムの厚みが０．２〜１．０ｍｍである、請求項１に記載のバックライト照明アセンブリ。
【請求項６】
複数の固体光源が隣り合う形態で配置されている、請求項１に記載のバックライト照明アセンブリ。
【請求項７】
連結クリップが位置決めフィーチャーをさらに含む、請求項１に記載のバックライト照明アセンブリ。
【請求項８】
連結クリップが光学スタンドオフをさらに含む、請求項１に記載のバックライト照明アセンブリ。
【請求項９】
ＬＣＤディスプレイのための一体型バックライト照明アセンブリであって、
アセンブリに構造的および機能的支持を提供する基体；
基体上に提供される底部反射体；
点光源を提供するための、底部反射体の開口部に提供される複数の固体光源；
点光源を均一な面の光に方向変換し広げるための、複数の固体光源間に提供される光方向変換領域を有する複数の光フィルム；
上部キャッピング部分と底部支持部分とを含み、底部支持部分が上部キャッピング部分に対して垂直に配置されており、複数の固体光源を収容するのに充分な空洞を有し、複数の光フィルムを収容するのに充分な、上部キャッピング部分と底部支持部分との間の高さをさらに有する連結クリップ；
均一な面の光を拡散させるための上部拡散体；を含み、
複数の光フィルムが０．１ｍｍ〜１．０ｍｍの厚みを有する、
一体型バックライト照明アセンブリ。
【請求項１０】
連結クリップがポリカーボナート、ポリメチルメタクリラート（ＰＭＭＡ）、ポリスチレン、ウレタン、ポリプロピレン、ポリスルホンおよびナイロンから選択される物質を含む、請求項９に記載のバックライト照明アセンブリ。
【発明の詳細な説明】
【技術分野】
【０００１】
本発明は、ディスプレイ照明に関し、より具体的には、薄いポリマー導光フィルムへの点光源の結合効率を増大させるために使用される光結合クリップに関する。
【背景技術】
【０００２】
透過型液晶ディスプレイ（ＬＣＤ）パネルは、他の種類のディスプレイに代わる、コンパクトで軽量の代替物を提供するが、調節のための光を提供するある種のバックライト照明を必要とする。ＬＣＤおよび類似のディスプレイのためのバックライト照明は典型的には、見る者に対してＬＣＤパネルの背面に位置し、かつ１以上の光源からの光をＬＣＤパネルを通るように方向変換する光供給面によって提供される。光供給面の典型的な１つのタイプは、導光板（Ｌｉｇｈｔ  Ｇｕｉｄｉｎｇ  Ｐｌａｔｅ；ＬＧＰ）である。ＬＧＰは、その側端部に沿って配置されている１以上の光源から受け取る入射光を方向変換するために、全反射（Ｔｏｔａｌ  Ｉｎｔｅｒｎａｌ  Ｒｅｆｌｅｃｔｉｏｎ；ＴＩＲ）を使用する導波路として機能する。内部で反射される光を取り出し、この光をディスプレイパネルの方に方向変換するために、ＬＧＰ上に、ある種の表面フィーチャー形成が提供される。ＬＧＰを使用する照明装置の一例は、ゴトー（Ｇｏｔｏ）らへの米国特許第５，９９９，６８５号「タイトル；ＬＩＧＨＴ  ＧＵＩＤＥ  ＰＬＡＴＥ  ＡＮＤ  ＳＵＲＦＡＣＥ  ＬＩＧＨＴ  ＳＯＵＲＣＥ  ＵＳＩＮＧ  ＴＨＥ  ＬＩＧＨＴ  ＧＵＩＤＥ  ＰＬＡＴＥ（導光板および導光板を使用する表面光源）」に記載されている。
【０００３】
ゴトーらの開示において提案されたような解決策の持つ欠点には、従来の導光板の相対的な厚みおよび全体的な嵩高さがある。従来のＬＧＰは、多くの場合、ＬＣＤパネル自体の厚みを越える。ＬＣＤ  ＴＶのような、より大きなディプレイの出現と共に、および、よりコンパクトな、発光ダイオード（ＬＥＤ）のような固体光源の開発と共に、既存の設計よりも、より薄い形状を提供し、より軽量で、より柔軟性である、ＬＧＰ解決策についての必要性が存在する。ディスプレイはスケールが大きくなり続け、より柔軟な基体の使用が増大しているので、１ｍｍに近づく厚みを有し、より柔軟なＬＧＰについての要求が大きくなっている。
【０００４】
より小さく、より柔軟なディスプレイに、より良く適合するＬＧＰ素子について多くの解決策が提案されてきた。しかし、今までに提案された解決策は、その用途を制限し、またはそれらを製造するのを困難にする本質的な欠点を有している。例えば、ＬＧＰ表面に形成される様々な種類の光取り出しフィーチャーが提案されてきた。しかし、提案された光取り出しフィーチャーの多くの幾何学形状は、射出成形または高温圧縮成形のような製造方法を必要とする。これらの製造方法は、より厚い物質については充分に機能しうるが、ＬＧＰの厚みが薄くなるにつれて、困難が増大しおよび非現実的であることが分かる。例えば、多くの提案された解決策は、９０度の垂直壁を有する表面光取り出しフィーチャーを必要とする。このスケールでの鋭角は、あらゆる方法を用いるとしても、既知のプラスチック物質を用いて、必要とされるサイズで製造するのが非常に困難な場合がある。さらに他のものは、相対的に高い高さ：幅アスペクト比を有するフィーチャーであって、同様の理由で製造するのが困難なフィーチャーを必要とする。このような構造は理論的には充分に機能しうるが、およびその製造は可能であり得るが、それらが提示するその製造上の問題は、提案された設計の多くを大量生産には非現実的にしている。鋭角の側壁を有する光取り出しフィーチャーを有するＬＧＰがどのように経済的に大量生産されうるかには、ほとんど注意が払われていなかったと思われる。
【０００５】
さらに、ＬＥＤを光源として使用するＬＣＤ  ＴＶは、一般的に、ＬＧＰの外周の周りに配置された上面発光（ｔｏｐ  ｅｍｉｔｔｉｎｇ）ＬＥＤを備えた厚いＬＧＰを使用する。ＬＧＰの外周の周りに配置されている上面発光ＬＥＤは、典型的にはベゼルの下に位置する。このベゼルは、ＬＥＤから生じ、ＬＧＰ／ＬＥＤ界面に結合されない望まれない光を覆い、吸収するように機能する。よって、ＬＥＤから生じ、結合されていない光はＬＣＤを照明するのに使用されず、無駄になる。
【０００６】
ＬＣパネルの光源としてのＬＥＤの使用は、画像内容を有するレジストレーションにおいて、ＬＥＤが全体的に薄暗くされ、ＬＣＤ  ＴＶの全体的な電力消費を低減するのを可能にする一方で、ＬＥＤの周囲配置のせいで、これらのエッジライトＬＥＤ  ＴＶは、典型的には、局所的に動的に薄暗くされることができない。画像内容を有するレジストレーションにおいて、小さなグループのＬＥＤが薄暗くされうるような、ＬＥＤで照明されるＬＣＤ  ＴＶの全体的な電力消費を全体的な調光と比較してさらに低減する、ＬＥＤの局所的調光が示されてきた。表示された画像のコントラスト比を全体的な調光と比較して優位に改良するためのさらなる局所的な調光も示されている。
【先行技術文献】
【特許文献】
【０００７】
【特許文献１】米国特許第５，９９９，６８５号明細書
【発明の概要】
【発明が解決しようとする課題】
【０００８】
よって、大量生産のために設計されており、かつ局所的に調光されうる、比較的薄い寸法形状を有して製造されうる柔軟な物質の使用を可能にする導光面解決策についての必要性があることが認識される。
【課題を解決するための手段】
【０００９】
本発明のある形態においては、ＬＣＤディスプレイのための一体型バックライト照明アセンブリは、アセンブリに構造的および機能的支持を提供する基体；基体上に提供される底部反射体；点光源を提供するための、底部反射体の開口部に提供される複数の固体光源；点光源を均一な面の光に方向変換し広げるための、複数の固体光源間に提供される光方向変換領域を有する複数の光フィルム；上部キャッピング部分と底部支持部分とを含み、底部支持部分が上部キャッピング部分に対して垂直に配置されており、複数の光フィルムを収容するのに充分な高さを有する連結クリップ；均一な面の光を拡散させるための上部拡散体；を含み、複数の光フィルムが０．１ｍｍ〜１．０ｍｍの厚みを有する。
本発明の別の形態においては、ＬＣＤディスプレイのための一体型バックライト照明アセンブリは、アセンブリに構造的および機能的支持を提供する基体；基体上に提供される底部反射体；点光源を提供するための、底部反射体の開口部に提供される複数の固体光源；点光源を均一な面の光に方向変換し広げるための、複数の固体光源間に提供される光方向変換領域を有する複数の光フィルム；上部キャッピング部分と底部支持部分とを含み、底部支持部分が上部キャッピング部分に対して垂直に配置されており、複数の固体光源を収容するのに充分な空洞を有し、複数の光フィルムを収容するのに充分な、上部キャッピング部分と底部支持部分との間の高さをさらに有する連結クリップ；均一な面の光を拡散させるための上部拡散体；を含み、複数の光フィルムが０．１ｍｍ〜１．０ｍｍの厚みを有する。
【図面の簡単な説明】
【００１０】
【図１】図１は、本発明の導光フィルムを使用するディスプレイ装置を示す。
【図２】図２は、ある実施形態における導光フィルムの斜視図を示す。
【図３Ａ】図３Ａは、導光フィルム表面のフィーチャーでの入射光の光の挙動を示す。
【図３Ｂ】図３Ｂは、導光フィルム表面のフィーチャーでの入射光の光の挙動を示す。
【図３Ｃ】図３Ｃは、導光フィルム表面のフィーチャーでの入射光の光の挙動を示す。
【図３Ｄ】図３Ｄは、導光フィルム表面のフィーチャーでの入射光の光の挙動を示す。
【図４】図４は、ある実施形態における導光フィルムの一部分および点光源を示す斜視図である。
【図５】図５は、導光フィルムの一部分、点光源の位置、および連結クリップを示す斜視図である。
【図６】図６は、上部キャッピング部分および底部支持部分を有する連結クリップの断面である。
【図７】図７は、光源と関連している連結クリップの断面である。
【図８】図８は、光拡散手段および点光源と関連した位置決めフィーチャーを有する連結クリップを示す、本発明のある実施形態の断面である。
【図９】図９は、点光源と関連した、光学的に離れた位置決めフィーチャーを有する連結クリップを示す、本発明のある実施形態の断面である。
【発明を実施するための形態】
【００１１】
図１を参照すると、本発明に従って、導光物品である導光フィルム（ＬＧＦ）２０を使用する、バックライト照明アセンブリ１８を備えたディスプレイ装置１０の実施形態が断面で示される。光源１２は、ＬＧＦ２０の入射端２２を通るように照明を向かわせる。ＬＧＦ２０は、この照明を１以上の上部拡散フィルム１４を通して、この照明を変調させる空間光変調体、ここではＬＣＤディスプレイ１６の方に外側に向ける。
【００１２】
光源１２は多くの種類の発光素子のいずれかを使用することができる。ラップトップコンピュータおよびより大きなディスプレイに使用される従来のＬＧＰはＣＣＦＬ（冷陰極蛍光ランプ）を使用してきた。本発明のＬＧＦ２０はこの厚い種類の光源を使用することができるが、ＬＥＤの線状配列、ＯＬＥＤの線状配列または他の線状固体光源のような薄い形状の光源と共に使用するのに有利である。
【００１３】
図２の斜視図はＬＧＦ２０の方位および照明装置１８におけるその光放出出力面２４を示す。図２に示されるように、光源１２は照明を入射端２２に向け、この入射端は出力面２４に対して実質的に直交する。離散した光取り出しフィーチャー（ｌｉｇｈｔ−ｅｘｔｒａｃｔｉｎｇ  ｆｅａｔｕｒｅｓ）２６が出力面２４上、あるいは底部面２８上に形成され、その結果、出力面２４および底部面２８のいずれかまたは両方がパターン形成された面である。後続の図において、より詳細に認められるように、光取り出しフィーチャー２６は、ＬＧＦ２０の長さ方向Ｌに沿って寸法的に伸びていることができ、長さ方向Ｌに直交する幅方向Ｗで狭くなっていることができる。光源１２は一般的には、長さ方向Ｌに沿って配置される。光取り出しフィーチャー２６は、面２４または２８にわたって、等しい間隔で空間的に分布されていることができるが、光取り出しフィーチャー２６のサイズもしくはピッチ、または空間的分布が、図２に示されかつ後述のように、入射端２２からの幅方向Ｗの距離に応じて変化している実施形態について有利さが存在しうる。
【００１４】
図３Ａ、３Ｂ、３Ｃおよび３Ｄは、出力面２４または底部面２８のいずれかの、パターン形成された面での光取り出しフィーチャー２６の異なる配置を断面図で示す。これらの図における点線は、光取り出しフィーチャー２６の挙動を図示する別個の例示的な光路を示す。光は、導光技術分野の当業者によく知られている原理である全反射（ＴＩＲ）によって、ＬＧＦ２０内に向けられる。光取り出しフィーチャー２６の一般的な機能は、それらが面２４もしくは２８から突き出ているか、または面２４もしくは２８内に形成されているかにかかわらず、ＴＩＲを不可能にし、この光をＬＧＦ２０から出させる。図３Ａおよび３Ｂは、それぞれ、面から突出したまたは面に陥没した、出力面２４上に形成された光取り出しフィーチャー２６の２つの種類についての光の挙動を示す。いずれの場合においても、内部に反射される光は、光が光取り出しフィーチャー２６の面に衝突するときに、出力面２４から外側に向けられる。
【００１５】
図３Ｃおよび３Ｄは、光取り出しフィーチャー２６が底部面２８に形成されている別の実施形態を示す。光取り出しフィーチャー２６を用いて取り出された光を方向変換するために、これらの実施形態と共に、反射面６６が照明装置１８（図１および２）の部分として提供される。反射面６６はこの光をＬＧＦ２０を通して戻し、出力面２４を通して外に出すように方向変換する。
【００１６】
図４は導光フィルム２０および点光源１２の斜視図を示す。光源１２は導光フィルム２０の入射端に沿って配置されている。導光フィルムの下は反射体２８であり、反射体２８への入射光をフィルム１４に向けて反射する。導光フィルム２０は、均一で明るいバックライト照明アセンブリを作り出すように連続的にまたはパターンで配置される。点光源１２はバックライト照明アセンブリの照明領域にある。ＬＣＤ  ＴＶ用途のためには、導光フィルム２０の長さＬは幅Ｗよりも好ましくは長い。より好ましくは、導光フィルムの長さＬは幅Ｗより１０倍長い。
【００１７】
図４における光源１２は、好ましくは、ディスプレイ装置の画像内容を有するレジストレーション（ｒｅｇｉｓｔｒａｔｉｏｎ）において、バックライト照明アセンブリが局所的に調光されうるように配置される。点光源の局所的調光がＬＣＤの電力消費を低減すること、およびＬＣＤのコントラスト比を有意に改良することの双方が示された。光源１２のサブグループを調光することにより、導光フィルム２０の限定された小さな領域が、光源１２に供給される電流を変えることにより、動的に調光されうる。調光される領域のサイズは、調光される点光源の数および導光フィルム２０の幅Ｗに応じて変化する。光源１２は、単一の導光フィルム２０に光を入力するように配置されることができ、または２つの隣り合う導光フィルムに光を入力するように配置されることができる。光源は好ましくは、隣り合う形態で配置され、導光フィルム２０への均等な光入力を可能にする。
【００１８】
図４を参照すると、光源１２は導光フィルム２０間に分布させされ、配置される。導光フィルム２０間での光源１２の分布は、結果的に、密集した熱発生点を有するエッジライトバックライトユニットと比べて、より低い温度勾配をバックライト照明アセンブリにわたって有するバックライトアセンブリを生じさせる。先行技術のエッジ照明バックライトアセンブリにおいて認められるもののような高温勾配は、結果的に、温度勾配から生じる熱膨張の差のせいで、光学部品の望ましくない波打ちまたはしわを生じさせる。さらに、エッジ照明バックライトアセンブリにおいて存在する、さらに高い温度勾配は、多くの場合、熱による波打ちおよび曲がりに抵抗するために使用されるべき、高価で、重い金属フレームを必要とする。
【００１９】
図４を参照すると、導光フィルム２０と入射端２２の反対側の連結クリップ３０との間に、熱による望まれない曲がりおよび波打ちを低減するのに充分に小さい隙間が示されている。導光フィルムの曲がりおよび波打ちは導光フィルムからの光出力の均一性を低減させる。導光フィルム２０と連結クリップ（ｊｏｉｎｉｎｇ  ｃｌｉｐ）３０との間の充分に小さな隙間は、熱で膨張した導光フィルムのための物理的空間を作り出すことが見いだされた。この導光フィルムの隙間は、概念的に、道路および橋において一般に利用される熱膨張用隙間に類似する。熱膨張用隙間のサイズは、バックライトアセンブリの操作条件および導光フィルムの熱膨張率に関連する。
【００２０】
図４を参照すると、Ｌ方向に沿った光源１２のピッチは、導光フィルム２０の所望の光出力特性に応じて変化する。光取り出しフィーチャー２６の密度、ピッチおよびサイズも導光フィルム２０の所望の光出力特性に応じて変化する。光取り出しフィーチャーのサイズ、位置およびピッチも光源１２の光出力特性に関連する。光源１２の重要な光学特性には、色度、光分布および照度が挙げられる。一般的に、光取り出しフィーチャー２６の密度は、光入射面２２において、光入射面の反対側と比べてより低く、光エネルギーの均一な取り出しを可能にする。
【００２１】
図４を参照すると、基体２８は好ましくは、可視光エネルギーに対して反射性である。導光フィルム２０に入る光エネルギーの一部分は基体２０の方に向けられるので、反射面は、基体２０の方に向けられた光が、上部拡散体１４の方に向けられるのを可能にし、それにより、バックライトアセンブリユニットの効率を増大させる。さらに、基体２８は好ましくは、連結クリップ３０が基体２８にスナップ式で取り付けられることができ、バックライトアセンブリユニットの集合を容易にするような、連結クリップ３０のための接合フィーチャーを含む。
【００２２】
図４を参照すると、本発明のある実施形態においては、Ｌ−Ｗ面において、光取り出しフィーチャーを有しない比較的小さな領域を有する導光フィルム２０が提供される。Ｌ−Ｗ面において、導光フィルム２０の全領域の約１〜１０％である、この比較的小さな領域は、光源１２のためのミキシング領域として機能する。このミキシング領域は、ＲＧＢまたはＲＧＢＷまたはＲＧＧＢのような多モード光源のために特に重要である。ミキシング領域は、多モード光源をミキシングし、先行技術の青色染料および黄リンを含む白色ＬＥＤよりも高い全色域を有する白色光を作り出す効果的な方法であると示された。
【００２３】
図５は、導光フィルム２０の一部分、光源１２の位置、および連結クリップ３０を示す斜視図である。連結クリップ３０は、バックライト照明アセンブリの品質に対して重要ないくつかの重要な機能を果たす。第１には、個々の導光フィルムが連結されて望ましい均一な光出力を作り出すように、連結クリップ３０は導光フィルム２０のセクションを「連結する」。第２には、連結クリップは、光源１２からのアンカップル（ｕｎ−ｃｏｕｐｌｅｄ）光および光源１２の上部または側部から漏れる光の双方を拡散させる。光源１２から漏れる光の例は、側面発光ＬＥＤの上部および側部の双方を通って漏れる光である。ＬＣＤのための均一な光源を作り出すために、連結クリップ３０の光出力が導光フィルム２０からの光出力とほぼ等しくなるように、連結クリップ３０は、好ましくは、光源から漏れる光と、アンカップル光エネルギーとの双方を拡散させる。光拡散体、プリズムフィルムまたは反射型偏光子のような後続の光学部品も、連結クリップ３０と導光フィルム２０との間の光出力差をさらに拡散させるために使用されうる。第３には、連結クリップ３０は光源１２の放射領域の中心線と導光フィルム２０の中心線とをほぼ一直線にする。これら２つの中心線をほぼ一直線にすることは、光源と導光フィルムとの間の光結合効率が最大化されるので好ましい。第４には、連結クリップは、底部支持体に対して、導光フィルム２０の個々のセクションを保持し、バックライトアセンブリの操作中に、並びに輸送および取扱中に遭遇する振動中に導光フィルム２０が所定の場所に留まるのを確実にする。第５には、連結クリップは、導光フィルム２０の隣り合うセクション間の継ぎ目を「一体化する」。目に見える継ぎ目は、バックライトアセンブリの望ましい均一性を低減させ、かつ見た目に不快な場合がある。最後に、連結クリップは、導光フィルム２０と、連結クリップ３０の上部キャッピング部分３２に適用されうるフィルムまたはシートとの間に光学的および物理的孤立を提供する。
【００２４】
図５を参照すると、好ましくは、連結クリップ３０と出力面２４との間の輝度の差は±１０％、より好ましくは±５％である。連結クリップと隣り合う導光フィルムとの間の輝度の差を低減することは、結果的に、バックライトアセンブリユニットからの望ましい均一な光出力をもたらす。１５％より大きい輝度の差は、目に見えて観察されることができ、かつ結果的に劣った画像品質を生じさせる。輝度の差を低減することは、出力面２４からの光出力と、連結クリップ３０からの光出力とのバランスをとることにより達成される。出力面２４からの輝度は、入射端２２でのまたは入射端２２付近での、光取り出しフィーチャー２６のサイズ、形状およびピッチによって制御される。連結クリップ３０の輝度は、連結クリップ物質の拡散特性、連結クリップの形状、連結クリップの厚み、並びに光源１２から入射端２２へのアンカップル光の量によって制御される。
【００２５】
図６は、上部３２および底部３４支持部分を有する連結クリップ４４の断面である。図６に示された連結クリップ４４は、クリップの各側面に、導光フィルムの挿入のための対向するスロットを有する。図６に示される連結クリップ４４はプリント回路板、ワイヤ、電気的接続および様々な光源のような光源物質の挿入のための光源領域４２を有する。連結クリップ４４は上部キャッピング部分および底部支持部分の双方を有し、よって、連結クリップ３０に関するような別個の底部面を必要としない。
【００２６】
図７は光源１２に関連している連結クリップ３０の断面である。連結クリップ３０は上部キャッピング部分３２を有する。連結クリップ３０は好ましくは、熱可塑性ポリマー物質を含む。この連結３０は好ましくは、アンカップル光および点光源１２から漏れる光の拡散を助ける物質を含む。好ましい物質は、前方散乱コア−シェル粒子、ガラスビーズ、非混和性ポリマー、無機散乱物質、例えば、ＴｉＯ２およびＢａＳＯ４、シリコーン物質、並びにゴム成分を含むリストから選択される。より好ましくは、連結クリップ３０は、前方散乱コア−シェル粒子を含むＰＭＭＡまたはＰＣポリマーを含む。コアシェル粒子は、光エネルギーの大部分を上部キャッピング部分３２の方に向けつつ、優れた光拡散特性を提供することが示された。さらに、連結クリップ３０は好ましくは、連結クリップ３０を出る光の色が、導光フィルム２０の面を出るのとほぼ同じ色および光エネルギーを有するように、クリップを出る拡散光の色を調節するための、有機もしくは無機染料、顔料、または着色剤を含む。連結クリップ３０および導光フィルム２０からの光出力間の大きな色差は、結果的に、人間の目で検出される望ましくない見た目のパターンを生じさせる。色差はＣＩＥ色座標で測定されうる。拡散体またはプリズムフィルムのような後続の光学部品における色差も調節されうる。
【００２７】
本発明の別の実施形態においては、連結クリップは好ましくは、１．０ｍｍの厚みを通して測定して８８％を超える光透過率を有する透過性ポリマー物質を含む。透過性連結クリップは、低水準の吸収を有し、よって高度に効率的であることを示した。透過性連結クリップは、入射端２２からのアンカップル光エネルギーを拡散させるために、レンズまたは曲面のような拡散手段を使用することができる。
【００２８】
図８は、連結クリップ３０、光源１２および位置決めフィーチャー（ｌｏｃａｔｉｏｎ  ｆｅａｔｕｒｅ）３８を示す、本発明の別の実施形態の断面である。位置決めフィーチャー３８は、連結クリップ３０および隣りの導光フィルムに対して、本発明の導光フィルムの位置を決める手段を提供する。位置決めフィーチャー３８は、導光フィルム中のスロットと相互作用しうる中子を含む。位置決めフィーチャー３８は、連結クリップ３０への導光フィルムの効果的な光学的結合も可能にする。
【００２９】
図９は、光学スタンドオフ（ｏｐｔｉｃａｌ  ｓｔａｎｄ−ｏｆｆ）４０を有する連結クリップ３０および光源１２を示す、本発明の別の実施形態の断面である。光学スタンドオフ４０は、拡散体、輝度（ｂｒｉｇｈｔｎｅｓｓ）フィルム、反射型偏光子および容積拡散体のような他の光学部品が導光フィルム上に正確に配置されるのを可能にする。光学スタンドオフは、光学スタンドオフと接触しうる光学部品を引っ掻くのを回避するために、実質的な平坦な部分を有することができる。
【００３０】
使用される物質
ＬＧＦ２０は、これらに限定されないが、ポリカーボナート、ポリエチレンテレフタラート（ＰＥＴ）、ポリエチレンナフタラート（ＰＥＮ）またはポリメチルメタクリラート（ＰＭＭＡ）のような様々な種類の透明な物質のいずれかから形成されうる。
【００３１】
導光フィルムのパターン形成された面上に形成されるフィーチャーは、ＬＣＤおよび他の種類のバックライトディスプレイのための照明、特に、より小さなディスプレイおよび携帯用装置のための照明を提供するのを助ける。本発明の実施形態は、１ｍｍ以下の厚みで製造されうる導光フィルムを提供する。このことは、本発明のＬＧＦを、ＬＥＤ、ＯＬＥＤまたはレーザーアレイおよび他の線状固体光アレイと共に使用するのに特に有利にする。
【符号の説明】
【００３２】
１０  ディスプレイ装置
１２  光源
１４  上部拡散フィルム
１６  ＬＣＤディスプレイ
１８  バックライト照明アセンブリ
２０  導光フィルム（ＬＧＦ）
２２  入射端
２４  光放出出力面
２６  光取り出しフィーチャー
２８  底部面
３０  連結クリップ
３２  上部キャッピング部分
３４  底部
３８  位置決めフィーチャー
４２  光源領域
４４  連結クリップ
６６  反射面
【図１】
2011082142.tif 000003
【図２】
2011082142.tif 000004
【図３Ａ】
2011082142.tif 000005
【図３Ｂ】
2011082142.tif 000006
【図３Ｃ】
2011082142.tif 000007
【図３Ｄ】
2011082142.tif 000008
【図４】
2011082142.tif 000009
【図５】
2011082142.tif 000010
【図６】
2011082142.tif 000011
【図７】
2011082142.tif 000012
【図８】
2011082142.tif 000013
【図９】
2011082142.tif 000014
【外国語明細書】
2011082142000001.pdf
2011082142000002.pdf
2011082142000003.pdf
2011082142000004.pdf